(57)【要約】    【課題】  扇風機を繰り返し収納しても容易に破損しない梱包装置を提供する。    【解決手段】  当該梱包装置は、上面が開口した略直方体の収納下箱１と下面が開口した略直方体の収納上箱20とから構成され、それぞれの一側開口端縁同士を連結部15で連結するようになっている。収納下箱１と収納上箱20とは、従来のような段ボール製の外箱に比べ強度に優れた例えばプラスチック等の樹脂成形品からなる。収納上箱20が連結部15を軸として回動自在となるよう収納下箱１に支持されている。把手部を２方向に設けることで、使用時および収納時に持ち出し及び持ち運びが容易にできる。【選択図】  図１
2006089096.tif 000002
【特許請求の範囲】
【請求項１】
扇風機を箱体に収納し梱包する梱包装置において、前記箱体は樹脂成形品からなることを特徴とする梱包装置。
【請求項２】
部品を所定の位置に保持する保持部を前記箱体に設けたことを特徴とする請求項１記載の梱包装置。
【請求項３】
前記箱体に把手部を設けたことを特徴とする請求項１又は請求項２記載の梱包装置。
【発明の詳細な説明】
【技術分野】
【０００１】
本発明は、扇風機のシーズンオフ時に扇風機を収納，保管する梱包装置に関する。
【背景技術】
【０００２】
一般に、扇風機を梱包する際には、所定の構成単位毎に分解して、専用の梱包装置に収納梱包する。従来の梱包装置としては、特許文献１に開示されるように、緩衝材としての収納箱に扇風機を分解して収納し、さらに該収納箱を段ボール製の梱包箱としての外装箱に収納している。例えば冬場など扇風機が使用されない時期には、扇風機を梱包装置に収納して保管することが多い。
【０００３】
図７は、このような従来の梱包装置に扇風機を収納する際の状態を示す分解斜視図である。当該梱包装置に収納される扇風機は、扇風機本体102と、当該扇風機を安定させる基台となるベース部106という具合に複数の分解部品に分解されている。ここで分解部品とは、梱包装置に収納可能な所定の構成単位毎に分解された部品をいう。
【０００４】
そして、この様な扇風機の分解部品を収納梱包する際は、一対の緩衝材120，121に形成された複数の収納部120ａ，121ａに個々の分解部品を配置し、その後に段ボール等で形成された保管用の梱包箱に収納している。
【特許文献１】特開２００２−９６８９０号公報
【発明の開示】
【発明が解決しようとする課題】
【０００５】
しかし、上記従来の梱包装置では、前記梱包箱が段ボール等の強度が比較的弱い材料で形成されているため、複数回の収納作業を繰り返す事で容易に切れたり、破れたりしてしまい、梱包装置の使用が困難になるという問題があった。また、緩衝材120，121に扇風機を収納してから、梱包箱に収納するため、手間がかかるという問題があった。梱包箱に一対の緩衝材120，121を出し入れする際に、梱包箱の開口部が緩衝材120，121や分解部品に引っ掛かったり擦れたりするため、破損する虞があり、出し入れし難い。
【０００６】
そこで本発明は上記問題点に鑑み、扇風機を繰り返し収納しても容易に破損しない梱包装置を提供することを第一の目的とする。
【０００７】
また、扇風機の分解部品に緩衝材を装着せずに、直接収納することができる梱包装置を提供することを第二の目的とする。
【課題を解決するための手段】
【０００８】
本発明における請求項１の梱包装置では、箱体を樹脂成形品にすることで、通常の使用状態では切れたり破れたりしないため、容易に破損しないようにすることができる。
【０００９】
本発明における請求項２の梱包装置では、部品に緩衝材を装着しなくても、前記収納下箱及び前記収納上箱に設けた保持部により箱体内で部品が所定の位置に保持されるため、部品を箱体に直接収納することができる。
【００１０】
本発明における請求項３の梱包装置では、把手部を設けることで、使用時および収納時に持ち出し及び持ち運びが容易にできる。
【発明の効果】
【００１１】
本発明は、以上説明したようなものであるから、以下に記載されるような効果を奏する。
【００１２】
本発明の請求項１によると、扇風機の収納作業時に容易に破損しない梱包装置を提供することができる。
【００１３】
本発明の請求項２によると、従来必要としていた緩衝材を廃止することが可能である。
【００１４】
本発明の請求項３によると、梱包装置の持ち出し及び持ち運びが容易になる。
【発明を実施するための最良の形態】
【００１５】
以下、添付図面を参照しながら、本発明における梱包装置の好ましい各実施例を説明する。なお、これらの実施例において、従来例と同一箇所には同一符号を付し、共通する部分の説明は重複するため極力省略する。
【実施例１】
【００１６】
図１は、第１実施例における梱包装置を開状態にしたときを示す斜視図である。当該梱包装置は、上面が開口した略直方体の収納下箱１と下面が開口した略直方体の収納上箱20とから構成され、それぞれの一側開口端縁同士を連結部15で連結するようになっている。収納下箱１と収納上箱20とは、従来のような段ボール製の外箱に比べ強度に優れた例えばプラスチック等の樹脂成形品からなり、樹脂成形品は比較的軽量であるため、持ち運びも容易である。もちろん、収納下箱１と収納上箱20とを樹脂以外の材料、例えば金属などの段ボールに比べ強度に優れた材料で形成してもよいが、持ち運びを容易にするため、できるだけ軽量のものを選択するのが好ましい。連結部15は、収納下箱１を形成する下箱側面12の一側に形成した軸受15ａと、収納上箱20を形成する上箱側面32の一側に形成したフック15ｂとから構成され、軸受15ａに設けられた図示しない連結軸にフック15ｂを引掛けることで、収納上箱20が連結部15を軸として回動自在となるよう収納下箱１に支持されている。
【００１７】
収納下箱１は、上面が開口した略直方体形状である。他の面に比べ面積が大きい上面を開口部10とすることで、扇風機を収納し易いという利点がある。連結部15と相対する側の下箱底面11と下箱側面12との結合部分中央には、把手凹部２が形成され、把手凹部２の下箱底面11側を形成する把手底面13には、手を挿入することが可能な楕円状の挿入孔３が設けられ、収納下箱１の上面側には挿入孔３の円周に沿って、把手壁面４が下箱側面12の上端縁と高さが略同じになるように立設されている。挿入孔３の円周部分、すなわち把手底面13と把手壁面４との結合部分は、手で握り易くするため、滑らかにするのが好ましい。把手凹部２が形成された側面と直行する側面の連結部15付近にも把手凹部６が形成され、把手凹部２と同様に、挿入孔７を有する把手底面14に把手壁面８が設けられる。なお、収納下箱１の各角部は他のものを傷つけないように、全て面取りされている。
【００１８】
一方、収納上箱20は、収納下箱１と略対称な形状をなしている。すなわち、収納上箱20は、上箱上面31と上箱側面32とからなる底面が開口した略直方体形状であり、把手凹部２，６にそれぞれ対応する位置に把手凹部21，25が形成され、把手凹部２，６と同様に、把手凹部21には挿入孔22を有する把手上面33に把手壁面23が設けられ、把手凹部25には挿入孔26を有する把手上面34に把手壁面27が設けられる。ただし、上箱側面32は、収納下箱１を形成する下箱側面12に比べやや低めに設計されている。すなわち、収納下箱１は、扇風機の分解部品を収納するときに安定するよう、収納上箱20に比べ底が深くなっている。なお、収納上箱20の各角部も他のものを傷つけないように、全て面取りされている。
【００１９】
本実施例の変形例として、図２に示すように、収納下箱１と収納上箱20とを、一体成形して連結してもよい。この場合、連結部15は、扁平肉薄の樹脂部材となり軟性を有するため、収納上箱20を連結部15を軸として回動自在となるよう収納下箱１に支持することができる。本変形例では、連結部15が極めて簡単な構造となるため、金型も簡単な構造となると共に、収納下箱１と収納上箱20とを組み立てる工程が不要となる。従って、コストを抑えることができる。
【００２０】
再度、図１に戻ると、前述したように収納下箱１と収納上箱20とは、連結部15を対象軸として略対象形状であるため、収納上箱20を回動して閉めると、収納上箱20を形成する上箱側面32の開口部30端縁は、収納下箱１を形成する下箱側面12の開口部10端縁に当接することとなる。このような梱包装置の閉状態を示したものが図３である。図３では、収納下箱１の開口部10を収納上箱20で覆うことで、梱包装置としての箱体40が形成されている。箱体40は、連結部15と対向する側面に設けられたロック機構41により係止されている。ロック機構41は、係止片16と嵌合部17とからなり、以下のようにして係止される。収納上箱20を閉方向に回動すると、箱体40が図１の開状態から図３の完全な閉状態となる前に、上箱側面32の開口部30に設けられた嵌合部17が、下箱側面12の開口部10に設けられた係止片16に突き当たる。さらに閉方向に力を加えると、嵌合部17が弾性変形しながら係止片16を乗り越え、係止片16が嵌合部17に穿設された嵌合孔17ａに到達すると、嵌合部17が弾性復帰することで、係止片16が嵌合孔17ａに嵌合する。従って、収納上箱20が収納下箱１に係止され、完全な閉状態になると共に、当該閉状態が保持される。
【００２１】
箱体40には、持ち運びの際に使用者が手で握るための把手部42，43が設けられている。ロック機構41を備えた把手部42は、収納下箱１の把手底面13，把手壁面４と収納上箱20の把手上面33，把手壁面23とから構成され、把手壁面４の外側が段違いになるよう形成した嵌合部５と把手壁面23の内側が段違いになるよう形成した被嵌合部24とが嵌合するようになっている。同様に、把手部43は、収納下箱１の把手底面14，把手壁面８と収納上箱20の把手上面34，把手壁面27とから構成され、把手壁面８の外側が段違いになるよう形成した嵌合部９と把手壁面27の内側が段違いになるよう形成した被嵌合部28とが嵌合するようになっている。把手部42，43は、把手凹部２，21及び把手凹部６，25を形成することで、
下箱底面11と上箱上面31とからそれぞれ所定の距離離れた箱体40側面の略中間に位置し、使用者が握り易い適度な太さになっている。なお、把手部42，43は内部に収納する扇風機の分解部品の大きさを考慮して、収納時に邪魔にならず、かつ持ち運び易い位置に設ける必要がある。
【００２２】
次に、第１実施例における梱包装置に扇風機を収納する手順について説明する。
【００２３】
図４，図５は、扇風機を収納した後の箱体40の内部状態を示す透視図である。まず、扇風機は図７で示した従来例と同様に、複数の分解部品に分解する。すなわち、送風ファン100，キャップ101，扇風機本体102，前側ガード部材103，後側ガード部材104，本体受部105，ベース部106，リモコン107に分解する。箱体40を構成する収納下箱１を下側にして置き、ロック機構41を係止解除し、収納上箱20を回動させて開く。収納下箱１内に送風ファン100を入れ、その上から前側ガード部材103を被せる。続いて扇風機本体102を入れるが、このとき、把手部42，43を避けるため、頭部110を把手部42と把手部43との間の空間に位置するように入れる。そして、後側ガード部材104を前側ガード部材103と対向させるように入れ、この後側ガード部材104内に本体受部105及びベース部106を入れる。その他のキャップ101やリモコン107は、収納下箱１内の空きスペースに入れればよい。最後に、収納上箱20を閉じてロック機構41で係止することで、扇風機が箱体40内に収納される。
【００２４】
ところで、扇風機のシーズンオフ時には、扇風機が邪魔にならないように、押入れや倉庫などの保管場所で保管される場合が多い。保管場所では、様々なものが保管されているため、箱体40を横置き又は縦置きすることが想定されるが、箱体40はロック機構41により閉状態が保持されているため、縦置きしても箱体40が開かず中身が出ることがない。また、箱体40は樹脂成形品から構成されているため、その強度から他のものを上に載せて保管することも可能である。保管場所から取り出す際には、把手部42又は把手部43を握って取り出し、把手部42を握って持ち運ぶ。把手部が二方向に設けられているので、狭い場所に保管してもどちらか握りやすい把手部を使って取り出せばよいため、取出しが容易になる。把手部42は、箱体40の側面中央部に設けられているので、持ち上げた際に重心が安定して持ち運びが容易である。もちろん、把手部42，43の位置は、特に限定されるものではないが、取出しを容易にするため、二以上の方向に設けるのが好ましい。
【００２５】
以上のように本実施例では、扇風機を分解した分解部品としての送風ファン100，キャップ101，扇風機本体102，前側ガード部材103，後側ガード部材104，本体受部105，ベース部106，リモコン107を箱体40に収納し梱包する扇風機の梱包装置において、前記箱体40は樹脂成形品からなる。
【００２６】
本発明における請求項１の梱包装置では、箱体40を樹脂成形品にすることで、通常の使用状態では切れたり破れたりしないため、容易に破損しないようにすることができる。
【００２７】
また本実施例では、箱体40に把手部42，43を設けている。
【００２８】
このようにすると、把手部42，43を設けることで、使用時および収納時に持ち出し及び持ち運びが容易にできる。
【実施例２】
【００２９】
図６は、第２実施例における梱包装置を開状態にしたときを示す斜視図である。本実施例における梱包装置は、箱体40の内部に扇風機の各分解部品を所定の位置に保持する保持部を収納下箱１及び収納上箱20に設けた構成となっている。なお、図６では、符号が煩雑にならないように、図１と同様の符号は極力省略している。
【００３０】
収納下箱１に設けられた保持部としては、下第１リブ50，下第２リブ53，円形の前側ガード部材受57があり、例えばプラスチックなどの樹脂により収納下箱１と一体形成されている。もちろん、これらの保持部を取り外し可能に設けてもよい。収納下箱１の略中央には円形の前側ガード部材受57が配置され、その両脇に下第１リブ50と下第２リブ53とが配置されている。
【００３１】
下第１リブ50は、扇風機本体102を構成する収納ケース114の側面投影形状となる凹部である収納ケース収納部51と前側ガード部材受57の半周部分とに沿って、枝分かれしながら壁状に立設されている。下第１リブ50の一部は切り欠きになっており、サポート部113を支持するためのサポート部受55が形成されている。
【００３２】
下第２リブ53は、前側ガード部材受57の残り半周部分に沿って壁状に立設されており、当該下第２リブ53には、扇風機本体102を構成する頭部110及びネックピース部111の側面投影形状となる凹部が形成された頭部受54が一体形成されている。下第２リブ53の一部は切り欠きになっており、スライドパイプ112を支持するためのスライドパイプ受56が形成されている。
【００３３】
前側ガード部材受57は、前側ガード部材103の径と略同じ径を有する皿状のものであり、一段低いやや径の小さい同心円の凹部52が形成され、凹部52の底部には送風ファン100の正面投影形状となる凹部である送風ファン収納部58が形成されている。
【００３４】
収納上箱20に設けられた保持部としては、上第１リブ60，上第２リブ63，環状の後側ガード部材受67があり、例えばプラスチックなどの樹脂により収納上箱20と一体形成されている。もちろん、これらの保持部を取り外し可能に設けてもよい。これらは、収納下箱１に設けられた下第１リブ50，下第２リブ53，前側ガード部材受57と対をなすため、連結部15を対象軸として略対称形状となっている。すなわち、収納上箱20の略中央には後側ガード部材受67が配置され、その両脇に上第１リブ60と上第２リブ63とが配置されている。
【００３５】
上第１リブ60は、扇風機本体102を構成する収納ケース114の側面投影形状となる凹部である収納ケース収納部61と後側ガード部材受67の半周部分とに沿って、枝分かれしながら壁状に立設されている。上第１リブ60の一部は切り欠きになっており、サポート部113を支持するためのサポート部受65が形成されている。
【００３６】
上第２リブ63は、後側ガード部材受67の残り半周部分に沿って壁状に立設されており、当該上第２リブ63には、扇風機本体102を構成する頭部110及びネックピース部111の側面投影形状となる凹部が形成された頭部受64が一体形成されている。上第２リブ63の一部は切り欠きになっており、スライドパイプ112を支持するためのスライドパイプ受66が形成されている。
【００３７】
後側ガード部材受67は、後側ガード部材104の径と略同じ外径を有する環状となっており、内径はベース部106の径と略同じである。すなわち、後側ガード部材受67の内円部は、ベース部106を収納するベース部収納部62となっている。
【００３８】
次に、第２実施例における梱包装置に扇風機を収納する手順について説明する。
【００３９】
本実施例における梱包装置に扇風機を収納した後の箱体40の内部状態は、図４，図５と同様である。まず、扇風機は図７で示した従来例と同様に、複数の分解部品に分解する。すなわち、送風ファン100，キャップ101，扇風機本体102，前側ガード部材103，後側ガード部材104，本体受部105，ベース部106，リモコン107に分解する。箱体40を構成する収納下箱１を下側にして置き、ロック機構41を係止解除し、収納上箱20を回動させて開く。収納下箱１内の送風ファン収納部58に送風ファン100を嵌合させ、その上から前側ガード部材103を被せるように前側ガード部材受57に載置する。このとき、前側ガード部材103は、下第１リブ50と下第２リブ53とにより挟持される。続いて扇風機本体102を、それぞれの構成部分が、収納ケース収納部51，サポート部受55，スライドパイプ受56，頭部受54に適合するように位置合わせをしながら収納する。
【００４０】
一方、収納上箱20のベース部収納部62には、ベース部106を嵌合させ、本体受部105をベース部106に組み合わせる。その上から後側ガード部材104を被せるように後側ガード部材受67に載置する。このとき、後側ガード部材104は、上第１リブ60と上第２リブ63とにより挟持される。
【００４１】
そして、収納上箱20を閉じると、扇風機本体102の各構成部分の露出部分が、収納ケース収納部61，サポート部受65，スライドパイプ受66，頭部受64に収納され、保持される。収納上箱20を回動自在にしているため、特に位置合わせをしなくても、収納上箱20を閉めるだけで、扇風機本体102の各構成部分と収納ケース収納部61，サポート部受65，スライドパイプ受66，頭部受64とが適合するようになっている。最後に、ロック機構41で係止することで、扇風機が箱体40内の所定位置に固定された状態で収納される。
【００４２】
箱体40が閉状態のときは、内部で上第１リブ60と下第１リブ50、上第２リブ63と下第２リブ53とがそれぞれ当接しているため、これらが補強部材として作用し、箱体40の強度が大幅に向上することとなる。
【００４３】
以上のように本実施例では、分解部品に嵌合して所定の位置に固定する保持部としての下第１リブ50，下第２リブ53，前側ガード部材受57，上第１リブ60，上第２リブ63，後側ガード部材受67を箱体40に設けている。
【００４４】
このようにすると、分解部品に緩衝材を装着しなくても、収納下箱１及び収納上箱20に設けた下第１リブ50，下第２リブ53，前側ガード部材受57，上第１リブ60，上第２リブ63，後側ガード部材受67により箱体40内で分解部品が所定の位置に固定されるため、分解部品を箱体40に直接収納することができる。以上により、従来必要としていた緩衝材を廃止することが可能である。
【００４５】
なお、本発明は、上記各実施例に限定されるものではなく、本発明の趣旨を逸脱しない範囲で変更可能である。上記各実施例における梱包装置は、内部に扇風機の分解部品を収納しやすいように、収納下箱１上面が大きく開口する上下開閉式にしているが、側面部分が開閉するようにしてもよい。また、箱体40内部の保持部は、例えばウレタンなどの緩衝作用のある材質を使用すると、内部に収納した扇風機の分解部品がより安定的に保持される。
【図面の簡単な説明】
【００４６】
【図１】本発明の第１実施例における梱包装置の開状態を示す斜視図である。
【図２】同上、梱包装置の変形例を示す斜視図である。
【図３】同上、梱包装置の閉状態を示す斜視図である。
【図４】同上、梱包装置に扇風機を収納した内部状態を上面から見た透視図である。
【図５】同上、梱包装置に扇風機を収納した内部状態を側面から見た透視図である。
【図６】本発明の第２実施例における梱包装置の開状態を示す斜視図である。
【図７】従来例における梱包装置の分解斜視図である。
【符号の説明】
【００４７】
40  箱体
42，43  把手部
50  下第１リブ（保持部）
53  下第２リブ（保持部）
57  前側ガード部材受（保持部）
60  上第１リブ（保持部）
63  上第２リブ（保持部）
67  後側ガード部材受（保持部）
100  送風ファン（部品）
101  キャップ（部品）
102  扇風機本体（部品）
103  前側ガード部材（部品）
104  後側ガード部材（部品）
105  本体受部（部品）
106  ベース部（部品）
107  リモコン（部品）
【図１】
2006089096.tif 000003
【図２】
2006089096.tif 000004
【図３】
2006089096.tif 000005
【図４】
2006089096.tif 000006
【図５】
2006089096.tif 000007
【図６】
2006089096.tif 000008
【図７】
2006089096.tif 000009